(57)【要約】【課題】煩わしい操作を行うことなく、撮像装置と他の装置とを連動させることができる技術を提供する。【解決手段】撮像装置１００の十字キーに対する左及び右キーの押下操作にそれぞれ対応するコマンド文字列Ｌｅｆｔ及びＲｉｇｈｔといったカメラ操作情報を記憶した無線ＩＣタグ１２４を撮像装置１００に付しておく。そして、リモコン操作器２３０において、無線ＩＣタグ１２４からカメラ操作情報を受信して、十字キー２３９の左及び右キーの押下操作に対してコマンド文字列Ｌｅｆｔ及びＲｉｇｈｔをそれぞれ対応付ける。その後、リモコン操作器２３０の十字キー２３９に含まれる左及び右キーの押下操作に応答してそれぞれ送信されるコマンド文字列Ｌｅｆｔ及びＲｉｇｈｔに応じて、撮像装置１００が表示画像のコマ送り及びコマ戻しをそれぞれ行う。【選択図】図５
2006229289.tif 000002
【特許請求の範囲】
【請求項１】
撮像装置であって、
前記撮像装置に対する第１の操作に対応するカメラ操作情報を記憶した無線ＩＣタグと、
前記無線ＩＣタグから受信した前記カメラ操作情報を所定の外部装置に対する第２の操作に対応付けて記憶した前記所定の外部装置から当該第２の操作に応答して発信された前記カメラ操作情報を受信する受信手段と、
前記受信手段によって受信された前記カメラ操作情報に応じて前記撮像装置の動作を制御する制御手段と、
を備えることを特徴とする撮像装置。
【請求項２】
請求項１に記載の撮像装置であって、
所定の記憶部に格納された画像を表示する表示手段、
を更に備え、
前記第１の操作が、
前記表示手段において表示される第１の画像を当該第１の画像とは異なる第２の画像に切り替えるための操作であることを特徴とする撮像装置。
【請求項３】
撮像装置と所定の外部装置とを含むデータ交信システムであって、
前記撮像装置が、
前記撮像装置に対する第１の操作に対応するカメラ操作情報を記憶した無線ＩＣタグと、
前記所定の外部装置から発信された前記カメラ操作情報を受信する第１の受信手段と、
前記第１の受信手段によって受信された前記カメラ操作情報に応じて前記撮像装置の動作を制御する制御手段と、
を備え、
前記所定の外部装置が、
前記無線ＩＣタグから前記カメラ操作情報を受信する第２の受信手段と、
前記第２の受信手段によって受信された前記カメラ操作情報を、前記所定の外部装置に対する第２の操作に対応付けて記憶する記憶手段と、
前記所定の外部装置に対する前記第２の操作に応答して、前記記憶手段における記憶内容に基づき前記カメラ操作情報を送信する送信手段と、
を備えることを特徴とするデータ交信システム。
【発明の詳細な説明】
【技術分野】
【０００１】
本発明は、データの交信に関する。
【背景技術】
【０００２】
近年、デジタルカメラが一般家庭に広く普及してきている。また、無線タグが商品の流通等を管理する上で実用化されてきている。そして、この無線タグとデジタルカメラとを組み合わせた技術も考えられてきている。
【０００３】
例えば、無線タグを被写体に保持させて、デジタルカメラで撮影を行う際に、無線タグから被写体に関する関連情報を収集して、当該関連情報を画像データに付加して記憶する技術が提案されている（例えば、特許文献１）。
【０００４】
このように、デジタルカメラとその他の機器等との間におけるデータ交信を発展させていくことで、デジタルカメラの多機能化を図ることができる。
【０００５】
ところで、昨今、大画面で高解像度のデジタルテレビ等のデジタル家電製品が普及し始め、コンピュータと他のコンピュータや周辺機器とをデータ交信可能に接続したネットワークを有する家庭も増えてきている。現在のところ、このネットワークは、パーソナルコンピュータやその周辺機器だけを接続したものであるが、家電どうしをネットワークで接続する技術も実用化に向けて開発されてきている。
【０００６】
このような状況においては、デジタル家電を接続するネットワークに対して、デジタルカメラをデータ交信可能に接続し、デジタルカメラで取得した撮影画像をデジタルテレビ等の再生装置で再生するような態様も想定される。
【０００７】
このような技術に関する先行技術文献としては、以下のようなものがある。
【０００８】
【特許文献１】特開２００３−１７４５７８号公報
【発明の開示】
【発明が解決しようとする課題】
【０００９】
しかしながら、デジタルカメラをマニュアル操作することでコマ送りをしつつ、デジタルテレビで画像を再生する態様では、デジタルテレビに対する操作とデジタルカメラに対する操作とが別個に必要となり、操作性が悪い。
【００１０】
このような問題は、撮像装置と他の装置とを連動させる場合一般に共通する。
【００１１】
本発明は、上記課題に鑑みてなされたものであり、煩わしい操作を行うことなく、撮像装置と他の装置とを連動させることができる技術を提供することを目的とする。
【課題を解決するための手段】
【００１２】
上記の課題を解決するために、請求項１の発明は、撮像装置であって、前記撮像装置に対する第１の操作に対応するカメラ操作情報を記憶した無線ＩＣタグと、前記無線ＩＣタグから受信した前記カメラ操作情報を所定の外部装置に対する第２の操作に対応付けて記憶した前記所定の外部装置から当該第２の操作に応答して発信された前記カメラ操作情報を受信する受信手段と、前記受信手段によって受信された前記カメラ操作情報に応じて前記撮像装置の動作を制御する制御手段とを備えることを特徴とする。
【００１３】
また、請求項２の発明は、請求項１に記載の撮像装置であって、所定の記憶部に格納された画像を表示する表示手段を更に備え、前記第１の操作が、前記表示手段において表示される第１の画像を当該第１の画像とは異なる第２の画像に切り替えるための操作であることを特徴とする。
【００１４】
また、請求項３の発明は、撮像装置と所定の外部装置とを含むデータ交信システムであって、前記撮像装置が、前記撮像装置に対する第１の操作に対応するカメラ操作情報を記憶した無線ＩＣタグと、前記所定の外部装置から発信された前記カメラ操作情報を受信する第１の受信手段と、前記第１の受信手段によって受信された前記カメラ操作情報に応じて前記撮像装置の動作を制御する制御手段とを備え、前記所定の外部装置が、前記無線ＩＣタグから前記カメラ操作情報を受信する第２の受信手段と、前記第２の受信手段によって受信された前記カメラ操作情報を、前記所定の外部装置に対する第２の操作に対応付けて記憶する記憶手段と、前記所定の外部装置に対する前記第２の操作に応答して、前記記憶手段における記憶内容に基づき前記カメラ操作情報を送信する送信手段とを備えることを特徴とする。
【発明の効果】
【００１５】
請求項１に記載の発明によれば、撮像装置に対する第１の操作に対応するカメラ操作情報を記憶した無線ＩＣタグを撮像装置に付しておき、所定の外部装置において当該無線ＩＣタグからカメラ操作情報を受信して所定の外部装置に対する第２の操作に対応付け、当該所定の外部装置に対する第２の操作に応答して送信されるカメラ操作情報に応じて撮像装置の動作が制御されるような構成とすることで、所定の外部装置に対して第２の操作を行うだけで、撮像装置も動作させることができるため、煩わしい操作を行うことなく、撮像装置と他の装置とを連動させることができる。
【００１６】
また、請求項２に記載の発明によれば、第１の操作が、撮像装置において表示される画像を異なる画像に切り替えるための操作であるような構成とすることで、所定の外部装置に対して第２の操作を行うだけで、煩わしい操作を行うことなく、撮像装置において表示される画像を切り替えることができる。
【００１７】
また、請求項３に記載の発明によれば、請求項１に記載された発明と同様な効果を得ることができる。
【発明を実施するための最良の形態】
【００１８】
以下、本発明の実施形態を図面に基づいて説明する。
【００１９】
＜(1)第１実施形態＞
＜撮像装置＞
図１は、本発明の第１実施形態に係る撮像装置１００の機能構成を例示するブロック図であり、撮像装置１００は、デジタルカメラ（ＤＳＣ）として構成される。
【００２０】
撮像装置１００は、撮影を行うためのモード（ＲＥＣモード）と、メモリーカード１２７に格納された撮影画像を背面ＬＣＤ１２６等で再生するモード（ＰＬＡＹモード）とを備える。
【００２１】
また、撮像装置１００は、レリーズボタン、十字キー１１９、各種ボタン、及び各種スイッチ等を含む操作部１０９を備える。例えば、十字キー１１９は、上キー、下キー、左キー、及び右キーを備えて構成され、上キーが押下されれば、コマンド文字列Ｕｐｐｅｒを示す信号がマイクロコンピュータ１０６に対して発せられる。同様にして、下、左、及び右キーが押下されると、コマンド文字列Ｌｏｗｅｒ、Ｌｅｆｔ、及びＲｉｇｈｔを示す信号がそれぞれマイクロコンピュータ１０６に対して発せられる。
【００２２】
また、レリーズボタンが押下されると、メモリーカード１２７に記憶するための画像データを取得する撮影動作（本撮影動作）が開始される。なお、ユーザーによるレリーズボタンの押下操作を、以下「レリーズ操作」とも称する。
【００２３】
更に、ユーザーが、操作部１０９を適宜操作することで、ＲＥＣモードとＰＬＡＹモードとの間で、モードの切り替えを行うことができる。
【００２４】
撮影レンズ１０１は、ズームやオートフォーカスを実現するために、レンズ駆動部Ｍ１により光軸に沿って前後に駆動させることができる。また、撮影レンズ１０１によって入射される光は、絞り駆動部Ｍ２によって開放度が変更される絞り１０２を介してＣＣＤ１０３の受光面に結像される。
【００２５】
ＣＣＤ１０３は、例えば、Ｒ(赤)、Ｇ(緑)、Ｂ(青)の原色透過フィルターが市松状に配列された単板の画素配列を有するエリア撮像センサとして構成されており、被写体からの光を光電変換することで、ＲＧＢのアナログ画像信号を得る。
【００２６】
ＣＣＤ１０３で得られたアナログ画像信号は、アンプ（Amp）部１０４等で増幅され、Ａ／Ｄ変換器１０５でデジタル画像データに変換される。
【００２７】
マイクロコンピュータ１０６は、ＣＰＵやＲＯＭ等を備えて構成され、撮像装置１００の各部の動作を統括制御するもので、ＲＯＭ等に格納されるプログラムをＣＰＵが読み込むことで、各種制御や機能を実現する。
【００２８】
例えば、マイクロコンピュータ１０６は、ＣＣＤ駆動部Ｍ３を介してＣＣＤ１０３の駆動を制御することができる。また、マイクロコンピュータ１０６は、Ａ／Ｄ変換器１０５から入力されるデジタル画像データ（以下「画像データ」と略する）をＲＡＭ１０７に格納しつつ、当該画像データに対して各種処理を施すことができる。
【００２９】
マイクロコンピュータ１０８は、ＣＰＵやＲＯＭ等を備えて構成され、操作部１０９や測距部１１０や測光部１１１より発せられる信号に応答して、マイクロコンピュータ１０６に対して信号を送ることで、各種動作を実現する。例えば、ユーザーによる操作部１０９の操作に応答して、マイクロコンピュータ１０６とマイクロコンピュータ１０８とが、ＲＥＣモードとＰＬＡＹモードとの間で、モードの切り替えを行う。
【００３０】
また、測距部１１０によって測定された被写体までの距離に応じて、マイクロコンピュータ１０６とマイクロコンピュータ１０８とが、レンズ駆動部Ｍ１によって撮影レンズ１０１を駆動させることで、オートフォーカスを実現する。
【００３１】
更に、測光部１１１によって測定された被写体輝度に応じて、マイクロコンピュータ１０６とマイクロコンピュータ１０８とが絞り駆動部Ｍ２によって絞り１０２を駆動させ、ＣＣＤ駆動部Ｍ３によってＣＣＤ１０３を駆動させる。
【００３２】
撮像装置１００がＲＥＣモードに設定された状態では、記憶用の画像データを取得する撮影（本撮影）前に、フレーミング用の所謂プレビュー（「ライブビュー」とも称する）の表示やオートフォーカス等を行うための撮影準備が撮像装置１００において行われる。
【００３３】
本撮影時には、マイクロコンピュータ１０６により画像データに対してＪＰＥＧ方式による圧縮処理が施される。そして、マイクロコンピュータ１０６からカードドライバ１２３を介してメモリーカード１２７に画像データが転送されることで、メモリーカード１２７に画像データが記憶される。
【００３４】
なお、メモリーカード１２７は、撮像装置１００に対して着脱自在に構成される。また、ここでは、画像データを記憶する記憶媒体としてメモリーカード１２７を例示したが、他の記憶媒体であっても良い。なお、本明細書では、メモリーカード１２７に記憶された画像データに係る画像を適宜「撮影画像」とも称する。
【００３５】
また、撮影準備時には、例えば、設定に応じてファインダー用のＬＣＤ（ファインダーＬＣＤ）１２５または撮像装置１００の背面略中央部に設けられたＬＣＤ（背面ＬＣＤ）１２６でライブビューを表示させる。具体的には、マイクロコンピュータ１０６で適宜処理が施された画像データが、ＬＣＤドライバ１２１に転送されると、ファインダーＬＣＤ１２５によって画像データが可視的に出力される。また、マイクロコンピュータ１０６からＬＣＤドライバ１２２に画像データが転送されると、背面ＬＣＤ１２６によって画像データが可視的に出力される。
【００３６】
また、撮像装置１００がＰＬＡＹモードに設定された状態では、メモリーカード１２７に格納された撮影画像を背面ＬＣＤ１２６において再生することができる。具体的には、ユーザーによる操作部１０９の操作に応答して、マイクロコンピュータ１０６がカードドライバ１２３を介してメモリーカード１２７内の画像データを読出し、ＬＣＤドライバ１２２に転送することで、背面ＬＣＤ１２６で撮影画像を再生表示することができる。
【００３７】
ここでは、ＰＬＡＹモードに設定されると、まず、直近にメモリーカード１２７に記憶された撮影画像が、背面ＬＣＤ１２６に再生表示される。そして、ユーザーが操作部１０９を適宜操作することで、再生する撮影画像を順次変更することができる。
【００３８】
具体的には、十字キー１１９に備えられた上キー、下キー、左キー、及び右キーのうちの右キーが押下されると、表示再生される撮影画像が、メモリーカード１２７に記憶されている撮影画像のうちの次のコマの撮影画像に変更される。また、十字キー１１９に備えられた左キーが押下されると、表示再生される撮影画像が、メモリーカード１２７に記憶されている撮影画像のうちの前のコマの撮影画像に変更される。
【００３９】
また、撮像装置１００の筐体には、いわゆる無線ＩＣタグ（以下「ＩＣタグ」と略する）１２４が付されている。
【００４０】
図２は、ＩＣタグ１２４の構成例を示す図である。図２に示すように、ＩＣタグ１２４は、基板部５０に、タグ情報を格納するチップ部５１と、チップ部５１から引き出された渦巻き状の回線からなるアンテナ部５２とが設けられて構成される。
【００４１】
図３は、チップ部５１に格納されるタグ情報のデータ内容を示す図である。図３に示すように、チップ部５１には、メーカー名、シリアルＮｏ．、製造年月日、ユーザーＩＤ（Ｕｓｅｒ ＩＤ）、パスワード、ＩＰアドレス、コマンド文字列Ｕｐｐｅｒ、コマンド文字列Ｌｏｗｅｒ、コマンド文字列Ｒｉｇｈｔ、及びコマンド文字列Ｌｅｆｔに係るデータがタグ情報として格納されている。
【００４２】
ＩＣタグ１２４に格納されるタグ情報のうち、メーカー名、シリアルＮｏ．、及び製造年月日は、撮像装置１００すなわち商品に係る情報（商品情報）である。また、Ｕｓｅｒ ＩＤ、パスワード、およびＩＰアドレスは、外部機器からネットワークを介して撮像装置１００に対してアクセスするための情報（接続情報）である。
【００４３】
コマンド文字列Ｕｐｐｅｒ、Ｌｏｗｅｒ、Ｒｉｇｈｔ、及びＬｅｆｔといった情報は、操作部１０９の十字キー１１９に対する上キー、下キー、右キー、及び左キーの押下操作にそれぞれ対応するコマンドを示す情報（「カメラ操作情報」とも称する）である。なお、タグ情報においては、コマンド文字列Ｕｐｐｅｒ、Ｌｏｗｅｒ、Ｒｉｇｈｔ、及びＬｅｆｔが、上、下、右、及び左キーにそれぞれ対応付けられている。
【００４４】
ここでは、無線ＩＣタグ１２４は、いわゆるパッシブタイプの無線ＩＣタグである。
【００４５】
そして、図４に示すように、ＩＣタグ１２４を外部よりＩＣタグリーダ８００に対して近づけて、ＩＣタグリーダ８００が発生させているＲＦ(Radio Frequency)信号のフィールド９００内にＩＣタグ１２４が入ると、ＲＦ信号によりＩＣタグ１２４に対してパワーが供給される。また、ＲＦ信号には、コマンド・データも含まれており、そのデータをＩＣタグ１２４が受け取り、自身が格納するタグ情報をＩＣタグリーダ８００に対して無線で送信する。このようにして、ＩＣタグリーダ８００は、ＩＣタグ１２４に格納されるタグ情報を受信することができる。なお、ＲＦ信号のフィールド９００の距離は、図４に示すように、一般的には１〜３ｍ程度といった比較的短距離である。
【００４６】
また、撮像装置１００は、ネットワーク（Network）カード１２８を着脱自在に装着することができ、Networkカード１２８を装着することで、外部のＬＡＮ(Local Area Network)に物理的に接続することができる。
【００４７】
＜データ交信システム＞
図５は、本発明の第１実施形態に係るデータ交信システム１の概要を示す図であり、図６は、データ交信システム１の機能構成を簡単に示すブロック図である。
【００４８】
図５に示すように、データ交信システム１は、主に、撮像装置１００と、撮像装置１００の外部装置にあたるデジタルテレビ（ＤＴＶ）２００とを備えて構成される。また、ＤＴＶ２００は、ＤＴＶ本体２１０とリモートコントロール（リモコン）操作器２３０とを備えている。
【００４９】
ここでは、図６に示すように、ＤＴＶ本体２１０およびプリンター３００等が、ＬＡＮ４００によって相互に接続される。ＬＡＮ４００には、家庭内ＬＡＮ等といった種々のＬＡＮを適用することができる。そして、撮像装置１００にNetworkカード１２８を装着して、撮像装置１００をＬＡＮ４００に対してデータ交信可能に接続することで、データ交信システム１が形成される。そして、ＤＴＶ２００およびプリンター３００は、撮像装置１００によって取得された撮影画像を可視的に再生する装置（再生装置）として機能する。
【００５０】
データ交信システム１が形成された状態では、撮像装置１００のマイクロコンピュータ１０６が、ＤＴＶ本体２１０等からのアクセスを許可するか否かの認証機能を発揮する。具体的には、Ｕｓｅｒ ＩＤ、およびパスワードといった認証情報が、ＤＴＶ本体２１０からＬＡＮ４００を介してマイクロコンピュータ１０６に対して送信されると、マイクロコンピュータ１０６がＤＴＶ本体２１０からＬＡＮ４００を介した撮像装置１００に対するアクセスを許可する。
【００５１】
ＤＴＶ本体２１０は、主に、制御部２０１、操作部２０２、リモコン受信部２０３、表示部２０４、インターフェース（Ｉ／Ｆ）２０５、およびＩＣタグリーダ８０１を備えて構成される。
【００５２】
制御部２０１は、ＤＴＶ本体２１０全体を統括制御する。この制御部２０１は、ＣＰＵやＲＡＭやＲＯＭ等を備えて構成され、例えば、ＲＯＭに格納されたプログラムをＣＰＵが読み込んで実行することで、各種制御や機能を実現する。
【００５３】
操作部２０２は、各種ボタンやスイッチ等を備えて構成され、ユーザーによる操作に応じて制御部２０１に対して各種信号を送信する。ここでは、操作部２０２が適宜操作されると、制御部２０１によって、ＤＴＶ本体２１０が、撮像装置１００から撮影画像に係る画像データをＬＡＮ４００を介して受信して表示するためのモード（「撮影画像表示モード」とも言う）に設定される。更に、制御部２０１は、リモコン操作器２３０からの所定の信号に応答して、ＤＴＶ本体２１０を撮影画像表示モードに設定する。
【００５４】
ＩＣタグリーダ８０１は、上述した方式によって、撮像装置１００に付されたＩＣタグ１２４からタグ情報を受信して、制御部２０１に転送する。そして、制御部２０１は、転送された各種データに応じた動作を行う。ＩＣタグリーダ８０１は、ＤＴＶ本体２１０が撮影画像表示モードに設定されると、ＲＦ信号を発して、ＩＣタグ１２４に格納されるタグ情報を読み取り可能な状態となる。
【００５５】
リモコン受信部２０３は、リモコン操作器２３０からの信号を受信して、制御部２０１に転送する。リモコン受信部２０３は、例えば、リモコン操作器２３０から発信されるカメラ操作情報を受信する。なお、リモコン操作器２３０から発信されるカメラ操作情報は、後述する操作情報テーブルに基づいて発信される。
【００５６】
また、制御部２０１は、操作部２０２、リモコン操作器２３０からの各種信号に応じた動作を行う。
【００５７】
表示部２０４は、制御部２０１の制御下で、各種画像を表示する。例えば、撮像装置１００から撮影画像に係る画像データをＬＡＮ４００を介して受信して、表示部２０４において可視的に出力することで、撮影画像を再生表示することができる。表示部２０４における撮影画像の再生については後述する。
【００５８】
Ｉ／Ｆ２０５は、ＬＡＮ４００を介して撮像装置１００等とデータ交信する。例えば、制御部２０１からの信号を撮像装置１００に向けて送信したり、撮像装置１００からのデータを制御部２０１に転送する。
【００５９】
一方、リモコン操作器２３０は、主に、制御部２３１、操作部２３２、リモコン送信部２３３、記憶部２３５、及びＩＣタグリーダ８０２を備えて構成される。
【００６０】
制御部２３１は、リモコン操作器２３０全体を統括制御する。この制御部２３１は、ＣＰＵやＲＡＭやＲＯＭ等を備えて構成され、例えば、ＲＯＭに格納されたプログラムをＣＰＵが読み込んで実行することで、各種制御や機能を実現する。
【００６１】
操作部２３２は、各種ボタン、及び十字キー２３９等を備えて構成され、ユーザーによる操作に応じて制御部２３１に対して各種信号を送信する。十字キー２３９は、上キー、下キー、左キー、及び右キーを備えて構成される。
【００６２】
ＩＣタグリーダ８０２は、上述した方式によって、撮像装置１００に付されたＩＣタグ１２４からタグ情報を受信して、制御部２３１に転送する。ここでは、操作部２３２が適宜操作されると、制御部２３１によって、リモコン操作器２３０が、ＩＣタグリーダ８０２によってＩＣタグ１２４に格納されるタグ情報を読み取るためのモード（「情報読み取りモード」とも言う）に設定される。なお、ＩＣタグリーダ８０２は、情報読み取りモードに設定されると、ＲＦ信号を発して、ＩＣタグ１２４に格納されるタグ情報を読み取り可能な状態となる。
【００６３】
そして、制御部２３１は、ＩＣタグリーダ８０２によって受信されて転送されてきたタグ情報に含まれるカメラ操作情報を、操作部２３２の所定の操作に割り付ける。この割り付けは、タグ情報に含まれるコマンド文字列Ｕｐｐｅｒ、Ｌｏｗｅｒ、Ｌｅｆｔ、及びＲｉｇｈｔと上、下、左、及び右キーとの対応付けを参照することで実施される。
【００６４】
具体的には、制御部２３１によって、十字キー２３９の上キーの押下操作に対してコマンド文字列Ｕｐｐｅｒが対応付けられ、十字キー２３９の下キーの押下操作に対してコマンド文字列Ｌｏｗｅｒが対応付けられる。更に、十字キー２３９の左キーの押下操作に対してコマンド文字列Ｌｅｆｔが対応付けられ、十字キー２３９の右キーの押下操作に対してコマンド文字列Ｒｉｇｈｔが対応付けられる。
【００６５】
また、制御部２３１は、カメラ操作情報を、操作部２３２の所定の操作に割り付けると、リモコン操作器２３０の設定状態を、情報読み取りモードから撮影画像表示モードに移行させる。また、このとき、リモコン送信部２３３から所定の信号が発信され、ＤＴＶ本体２１０が撮影画像表示モードに設定される。
【００６６】
記憶部２３５は、リモコン操作器２３０における各種設定等を記憶する。例えば、制御部２３１によって対応付けられたリモコン操作器２３０に対する所定の操作とカメラ操作情報との関係がテーブル（「操作情報テーブル」とも称する）として記憶されている。
【００６７】
リモコン送信部２３３は、リモコン操作器２３０が撮影画像表示モードに設定された状態において、ユーザーによる操作部２３２の操作に応答して制御部２３１から入力されるコマンドを、ＤＴＶ本体２１０のリモコン受信部２０３に対して無線で送信する。例えば、十字キー２３９に含まれる上下左右キーの押下に応答して、操作情報テーブルを参照して、対応するコマンドを示す信号を送信する。
【００６８】
具体的には、十字キー２３９の上キーが押下されると、コマンド文字列Ｕｐｐｅｒを示す信号が送信され、十字キー２３９の下キーが押下されると、コマンド文字列Ｌｏｗｅｒを示す信号が送信される。更に、十字キー２３９の左キーが押下されると、コマンド文字列Ｌｅｆｔを示す信号が送信され、十字キー２３９の右キーが押下されると、コマンド文字列Ｒｉｇｈｔを示す信号が送信される。
【００６９】
なお、リモコン送信部２３３による無線通信は、例えば、赤外線等を利用することで実現することができる。
【００７０】
以下、ＤＴＶ２００における撮影画像の再生について説明する。
【００７１】
＜デジタルテレビにおける画像再生＞
図７は、ＤＴＶ２００において撮影画像を再生する際の撮像装置１００における動作フローを示すフローチャートである。図８および図９は、ＤＴＶ２００において撮影画像を再生する際のＤＴＶ本体２１０における動作フローを示すフローチャートである。図１０は、ＤＴＶ２００において撮影画像を再生する際のリモコン操作器２３０における動作フローを示すフローチャートである。
【００７２】
図７に示す動作フローは、撮像装置１００内のマイクロコンピュータ１０６の制御下で実行され、図８および図９に示す動作フローは、ＤＴＶ本体２１０内の制御部２０１の制御下で実行される。図１０に示す動作フローは、リモコン操作器２３０内の制御部２３１の制御下で実行される。そして、図７に示す撮像装置１００の動作フローと、図８および図９に示すＤＴＶ本体２１０の動作フローと、図１０に示すリモコン操作器２３０の動作フローとが並行して行われることで、ＤＴＶ２００における撮影画像の再生が実現される。
【００７３】
撮像装置１００、ＤＴＶ本体２１０、及びリモコン操作器２３０における動作フローは、並行して行われるが、説明が複雑になるのを防ぐため、撮像装置１００側とＤＴＶ本体２１０側とリモコン操作器２３０側との動作フローを分けて説明する。
【００７４】
まず、図７のフローチャートを参照しつつ、撮像装置１００側の動作フローについて説明する。ここでは、ユーザーがマニュアルで、撮像装置１００を、Networkカード１２８によってＬＡＮ４００に対して物理的に接続すると、図７の動作フローが開始される。
【００７５】
ステップＳ１では、撮像装置１００がＰＬＡＹモードに設定されているか否かを判定する。ここでは、ＰＬＡＹモードに設定されるまでステップＳ１の判定を繰り返し、ＰＬＡＹモードに設定されると、ステップＳ２に進む。
【００７６】
ステップＳ２では、メモリーカード１２７に格納される撮影画像に係る画像データを背面ＬＣＤ１２６において可視的に出力する。ここでは、メモリーカード１２７に格納される撮影画像のうち、最も直近に記憶された撮影画像が表示される。なお、ここでは、メモリーカード１２７に格納される撮影画像のうち、ファイル名でソートしたときに先頭にあたる撮影画像を背面ＬＣＤ１２６に表示しても良い。
【００７７】
ステップＳ３では、ＤＴＶ本体２１０からアクセス許可要求情報（Ｕｓｅｒ ＩＤおよびパスワードといった認証情報を含む）を受信したか否かを判定する。ここでは、アクセス許可要求情報を受信するまでステップＳ３の判定を繰り返し、アクセス許可要求情報を受信すると、ステップＳ４に進む。
【００７８】
ステップＳ４では、ＤＴＶ本体２１０から受信した認証情報に基づいて、撮像装置１００を、ＤＴＶ本体２１０からのアクセスが許可された状態に設定する。
【００７９】
ステップＳ５では、ＤＴＶ本体２１０から現在表示中の撮影画像に係る画像データの送信を要求するコマンド（「画像要求コマンド」および「Get Current Pictureコマンド」とも称する）をＬＡＮ４００を介して受信したか否かを判定する。ここでは、画像要求コマンドを受信するまでステップＳ５の判定を繰り返し、画像要求コマンドを受信するとステップＳ６に進む。
【００８０】
ステップＳ６では、ＤＴＶ本体２１０に対して、現在背面ＬＣＤ１２６に表示中の撮影画像に係る画像データをＬＡＮ４００を介して送信する。
【００８１】
ステップＳ７では、ＤＴＶ本体２１０から次のコマに係る画像要求コマンドをＬＡＮ４００を介して受信したか否か判定する。ここでは、ＤＴＶ本体２１０から次のコマの表示を要求するコマンド（Next Pictureコマンド）と画像要求コマンドとを受信すれば、次のコマに係る画像要求コマンドを受信したものとして、ステップＳ８に進み、受信しなければステップＳ１０に進む。
【００８２】
なお、ＰＬＡＹモードに設定された状態では、マイクロコンピュータ１０６により、操作部１０９に含まれる十字キー１１９の右キーの押下に対応するRightコマンドが、Next Pictureコマンドとして認識される。
【００８３】
ステップＳ８では、メモリーカード１２７に格納される撮影画像のうち、現在背面ＬＣＤ１２６に表示中の撮影画像の次のコマに係る撮影画像を背面ＬＣＤ１２６に表示する。
【００８４】
ステップＳ９では、ＤＴＶ本体２１０に対して、現在背面ＬＣＤ１２６に表示中の撮影画像に係る画像データをＬＡＮ４００を介して送信する。
【００８５】
ステップＳ１０では、ＤＴＶ本体２１０から前のコマに係る画像要求コマンドをＬＡＮ４００を介して受信したか否か判定する。ここでは、ＤＴＶ本体２１０から前のコマの表示を要求するコマンド（Prev Pictureコマンド）と画像要求コマンドとを受信すれば、前のコマに係る画像要求コマンドを受信したものとして、ステップＳ１１に進み、受信しなければステップＳ７に戻る。
【００８６】
なお、ＰＬＡＹモードに設定された状態では、マイクロコンピュータ１０６により、操作部１０９に含まれる十字キーの左キーの押下に対応するLeftコマンドが、Prev Pictureコマンドとして認識される。
【００８７】
ステップＳ１１では、メモリーカード１２７に格納される撮影画像のうち、現在背面ＬＣＤ１２６に表示中の撮影画像の前のコマに係る撮影画像を背面ＬＣＤ１２６に表示する。
【００８８】
ステップＳ１２では、ＤＴＶ本体２１０に対して、現在背面ＬＣＤ１２６に表示中の撮影画像に係る画像データをＬＡＮ４００を介して送信する。
【００８９】
なお、ユーザーがマニュアルで、撮像装置１００からNetworkカード１２８を脱着することで、図７の動作フローを強制的に終了させることができる。
【００９０】
次に、図８および図９のフローチャートを参照しつつ、ＤＴＶ本体２１０側の動作フローについて説明する。ここでは、ユーザーによる操作部２０２の操作、又はリモコン操作器２３０からの信号に応答して、ＤＴＶ本体２１０が撮影画像表示モードに設定され、図８の動作フローが開始される。
【００９１】
ステップＳ２１では、ＩＣタグ１２４よりタグ情報を受信したか否かを判定する。ここでは、ＩＣタグリーダ８０１によってタグ情報が受信されるまでステップＳ２１の判定を繰り返し、タグ情報が受信されるとステップＳ２２に進む。ここでは、ＩＣタグリーダ８０１とＩＣタグ１２４とが近接していれば、ＩＣタグリーダ８０１がＩＣタグ１２４に格納されるタグ情報を受信することができる。
【００９２】
ステップＳ２１からステップＳ２２に進む際には、Ｕｓｅｒ ＩＤ、パスワード、及びＩＰアドレスといった接続情報と、コマンド文字列Ｕｐｐｅｒ、Ｌｏｗｅｒ、Ｒｉｇｈｔ、及びＬｅｆｔといったカメラ操作情報とを含む各種情報がＩＣタグリーダ８０１によって受信されている。
【００９３】
ステップＳ２２では、ＩＣタグリーダ８０１によって受信した接続情報に基づいて、ＬＡＮ４００を介して撮像装置１００に対してログインする。ここでは、ＩＰアドレスに応じてアクセス先である撮像装置１００を特定して、アクセス許可要求情報（Ｕｓｅｒ ＩＤおよびパスワードといった認証情報を含む）を撮像装置１００に送信する。そして、ＤＴＶ本体２１０が撮像装置１００の各種資源に対してアクセスが許可された状態となる。
【００９４】
ステップＳ２３では、撮像装置１００に対して撮影画像の送信を要求するコマンド（画像要求コマンド）をＬＡＮ４００を介して送信する。
【００９５】
ステップＳ２４では、撮像装置１００から撮影画像に係る画像データをＬＡＮ４００を介して受信したか否か判定する。ここでは、画像データを受信するまで、ステップＳ２４の判定を繰り返し、画像データを受信すればステップＳ２５に進む。
【００９６】
ステップＳ２５では、撮像装置１００から受信した画像データに基づいて、表示部２０４において撮影画像を再生表示し、図９のステップＳ３１に進む。
【００９７】
ステップＳ３１では、制御部２０１が、リモコン操作器２３０から右キーの押下に対応するコマンド（Rightコマンド）を受信したか否か判定する。ここでは、リモコン操作器２３０からRightコマンドを受信すれば、ステップＳ３２に進み、Rightコマンドを受信しなければ、ステップＳ３３に進む。
【００９８】
ステップＳ３２では、制御部２０１が、撮像装置１００に対して、Rightコマンドと画像要求コマンドとをＬＡＮ４００を介して送信し、ステップＳ２４に戻る。
【００９９】
ステップＳ３３では、リモコン操作器２３０から左キーの押下に対応するコマンド（Leftコマンド）を受信したか否か判定する。ここでは、リモコン操作器２３０からLeftコマンドを受信すれば、ステップＳ３４に進み、Leftコマンドを受信しなければ、ステップＳ３５に進む。
【０１００】
ステップＳ３４では、制御部２０１が、撮像装置１００に対して、Leftコマンドと画像要求コマンドとをＬＡＮ４００を介して送信し、ステップＳ２４に戻る。
【０１０１】
ステップＳ３５では、リモコン操作器２３０から撮影画像の再生を終了するコマンド（終了コマンド）を受信したか否か判定する。ここでは、ユーザーによるリモコン操作器２３０の終了ボタン（不図示）の押下操作に応答して、リモコン操作器２３０から終了コマンドを受信すれば、ステップＳ３６に進み、終了コマンドを受信しなければ、ステップＳ３１に戻る。つまり、ユーザーによるリモコン操作器２３０の操作に応じて、終了コマンドを受信しない限り、表示部２０４において、現在表示中の撮影画像の表示を保持するか、次コマに係る撮影画像、または前コマに係る撮影画像を適宜切り替えながら表示する。
【０１０２】
ステップＳ３６では、撮像装置１００に対してアクセス可能な状態を解除するログアウトの動作を行い、本動作フローを終了する。
【０１０３】
次に、図１０のフローチャートを参照しつつ、リモコン操作器２３０側の動作フローについて説明する。ここでは、ユーザーが、操作部２３２を適宜操作すると、リモコン操作器２３０が情報読み取りモードに設定され、図１０の動作フローが開始される。
【０１０４】
ステップＳ４１では、ＩＣタグリーダー８０２によってＩＣタグ１２４からタグ情報を受信したか否かを判定する。ここでは、タグ情報を受信するまでステップＳ４１の判定を繰り返し、タグ情報を受信すればステップＳ４２に進む。
【０１０５】
ステップＳ４２では、十字キー２３９の上下左右キーに対して、撮像装置１００に設けられた十字キー１１９の上下左右キーと等価なコマンドを割り付ける。ここでは、十字キー２３９の上キーの押下操作に対してコマンド文字列Ｕｐｐｅｒが対応付けられ、十字キー２３９の下キーの押下操作に対してコマンド文字列Ｌｏｗｅｒが対応付けられる。また、十字キー２３９の左キーの押下操作に対してコマンド文字列Ｌｅｆｔが対応付けられ、十字キー２３９の右キーの押下操作に対してコマンド文字列Ｒｉｇｈｔが対応付けられる。
【０１０６】
ステップＳ４３では、リモコン操作器２３０の設定状態を情報読み取りモードから撮影画像表示モードに移行する。
【０１０７】
ステップＳ４４では、十字キー２３９に含まれる右キーが押下されたか否かを判定する。ここでは、右キーが押下されればステップＳ４５に進み、右キーが押下されなければステップＳ４６に進む。
【０１０８】
ステップＳ４５では、ＤＴＶ本体２１０に対してコマンド文字列Ｒｉｇｈｔを示す信号を送信し、ステップＳ４４に戻る。
【０１０９】
ステップＳ４６では、十字キー２３９に含まれる左キーが押下されたか否かを判定する。ここでは、左キーが押下されればステップＳ４７に進み、左キーが押下されなければステップＳ４８に進む。
【０１１０】
ステップＳ４７では、ＤＴＶ本体２１０に対してコマンド文字列Ｌｅｆｔを示す信号を送信し、ステップＳ４４に戻る。
【０１１１】
ステップＳ４８では、操作部２３２に含まれる終了ボタンが押下されたか否かを判定する。ここでは、終了ボタンが押下されれば、ステップＳ４９に進み、終了ボタンが押下されなければ、ステップＳ４４に戻る。
【０１１２】
ステップＳ４９では、ＤＴＶ本体２１０に対して終了コマンドを送信し、本動作フローを終了する。
【０１１３】
図１１は、ＤＴＶ２００において撮影画像を再生する際における撮像装置１００とＤＴＶ本体２１０とリモコン操作器２３０との間におけるデータ交信を簡単に示す図である。
【０１１４】
図１１に示すように、ＤＴＶ本体２１０が、撮像装置１００からタグ情報を取得すると、当該タグ情報を用いて撮像装置１００に対してログインするとともに、撮像装置１００に対してGet Current PictureコマンドをＬＡＮ４００を介して送信する。これに対して、撮像装置１００からＤＴＶ本体２１０に対して撮影画像に係る画像データをＬＡＮ４００を介して送信する。
【０１１５】
一方、リモコン操作器２３０が、撮像装置１００からタグ情報を取得し、例えば、ＲｉｇｈｔコマンドがＤＴＶ本体２１０に送信されると、ＤＴＶ本体２１０は、撮像装置１００に対してＲｉｇｈｔコマンドとGet Current PictureコマンドとをＬＡＮ４００を介して送信する。これに対して、撮像装置１００からＤＴＶ本体２１０に対して次のコマの撮影画像に係る画像データをＬＡＮ４００を介して送信する。
【０１１６】
このようなデータ交信によって、リモコン操作器２３０を適宜操作しながら、撮像装置１００で取得された撮影画像を適宜切り替えつつ、撮像装置１００に近接したＤＴＶ２００で表示させることができる。
【０１１７】
以上のように、撮像装置１００の十字キーに対する上、下、左、及び右キーの押下操作にそれぞれ対応するコマンド文字列Ｕｐｐｅｒ、Ｌｏｗｅｒ、Ｌｅｆｔ、及びＲｉｇｈｔといったカメラ操作情報を記憶したＩＣタグ１２４を撮像装置１００に付しておく。そして、リモコン操作器２３０において、ＩＣタグ１２４からカメラ操作情報を受信して、十字キー２３９の上、下、左、及び右キーの押下操作に対してコマンド文字列Ｕｐｐｅｒ、Ｌｏｗｅｒ、Ｌｅｆｔ、及びＲｉｇｈｔをそれぞれ対応付けて記憶する。その後、リモコン操作器２３０の十字キー２３９に含まれる左、及び右キーの押下操作に応答してそれぞれ送信されるコマンド文字列Ｌｅｆｔ、及びＲｉｇｈｔに応じて、撮像装置１００のマイクロコンピュータ１０６が表示画像のコマ送り及びコマ戻しをそれぞれ行うように制御する。
【０１１８】
このような構成とすることで、リモコン操作器２３０の十字キー２３９に含まれる左、及び右キーに対して押下操作を行うだけで、撮像装置１００及びＤＴＶ２００において表示される撮影画像を異なる他の撮影画像に切り替えることができる。すなわち、煩わしい操作を行うことなく、ＤＴＶ２００に含まれるリモコン操作器２３０を操作するだけで、撮像装置１００とＤＴＶ２００とを連動させることができる。
【０１１９】
＜(2)第２実施形態＞
従来、撮影範囲を相互に異ならせた複数（例えば２台）の撮像装置に同時に画像を取得する撮影（同期撮影）を行わせて、得られた複数（例えば２つ）の撮影画像をつなぎ合わせることで、広い範囲の被写体を捉えた画像（パノラマ画像）を生成するような技術が考えられている。
【０１２０】
しかしながら、２台の撮像装置によってそれぞれ多数の撮影画像が取得された場合には、多数の撮影画像からパノラマ画像を生成するための撮影画像の組を抽出することは困難である。
【０１２１】
そこで、第２実施形態に係るデータ交信システム１Ａにより、複数の撮像装置によって所定のタイミングで取得された撮影画像の組を多数の撮影画像から容易に抽出するという課題を解決する。
【０１２２】
以下、第２実施形態に係るデータ交信システム１Ａについて説明する。
【０１２３】
＜データ交信システム＞
図１２は、本発明の第２実施形態に係るデータ交信システム１Ａの概要を示す図である。
【０１２４】
図１２に示すように、データ交信システム１Ａは、２台の撮像装置１００Ａ，１００Ｂを備えて構成される。そして、撮像装置１００Ａには、無線ＩＣタグ（ＩＣタグ）１２４Ａ及び無線ＩＣタグリーダー（ＩＣタグリーダー）８０１Ａが備えられ、撮像装置１００Ｂには、無線ＩＣタグ（ＩＣタグ）１２４Ｂ及び無線ＩＣタグリーダー（ＩＣタグリーダー）８０１Ｂが備えられている。
【０１２５】
そして、データ交信システム１Ａでは、撮像装置１００Ａに付されたＩＣタグ１２４Ａに格納されたタグ情報を、撮像装置１００Ｂに設けられたＩＣタグリーダー８０１Ｂによって読出すことができる。その一方で、撮像装置１００Ｂに付されたＩＣタグ１２４Ｂに格納されたタグ情報を、撮像装置１００Ａに設けられたＩＣタグリーダー８０１Ａによって読出すことができる。このようにして、撮像装置１００Ａと撮像装置１００Ｂとの間でデータの交信を実施することができる。
【０１２６】
なお、撮像装置１００Ａ，１００Ｂは、相互に同様な構成を有しているとともに、第１実施形態に係る撮像装置１００と一部異なるだけで、その他の構成は同様となる。よって、ここでは、異なる部分を説明し、同様な部分については同じ符合を付して説明を省略する。
【０１２７】
＜撮像装置＞
図１３は、本発明の第２実施形態に係る撮像装置１００Ａ，１００Ｂの機能構成を例示するブロック図である。撮像装置１００Ａ，１００Ｂの構成は同様であるため、以下、主に撮像装置１００Ａを例にとりつつ説明する。
【０１２８】
撮像装置１００Ａでは、第１実施形態に係る無線ＩＣタグ１２４の代わりに、いわゆるアクティブタイプの無線ＩＣタグ（ＩＣタグ）１２４Ａが備わっている。
【０１２９】
ＩＣタグ１２４Ａの構成は、図２に示したものと同様に、基板部５０に、タグ情報を格納するチップ部５１と、チップ部５１から引き出された渦巻き状の回線からなるアンテナ部５２とが設けられて構成される。但し、ＩＣタグ１２４Ａは、マイクロコンピュータ１０６の制御下で、電源が供給されることで、ＩＣタグリーダー８０１Ｂからの信号に応答して、タグ情報を送信することができる状態（送信可能状態）に設定される。
【０１３０】
ここでは、操作部１０９を適宜操作することで、撮像装置１００Ａを同期撮影を行うモード（同期撮影モード）に設定することができる。同期撮影モードでは、レリーズボタンが押下されると、マイクロコンピュータ１０６の制御下で、ＩＣタグ１２４Ａが送信可能状態に設定される。
【０１３１】
一方、撮像装置１００Ｂにおいても、操作部１０９を適宜操作すると、撮像装置１００Ｂを同期撮影モードに設定することができる。そして、撮像装置１００Ｂでは、同期撮影モードに設定されると、ＩＣタグリーダー８０１Ｂが、ＩＣタグ１２４Ａからタグ情報を受信すべく、ＦＲ信号を発信した状態（タグ情報受信可能状態）に設定される。
【０１３２】
図１４は、ＩＣタグ１２４Ａに格納されるタグ情報のデータ内容を示す図である。図１４に示すように、ＩＣタグ１２４Ａには、メーカー名、シリアルナンバー（Ｓ／Ｎ）、モデルナンバー（Ｍ／Ｎ）、製造年月日といった撮像装置１００Ａすなわち商品に係る情報（商品情報）が格納されている。また、ＩＣタグ１２４Ａには、撮影タイミングを知らせる情報（レリーズ情報）も格納されている。
【０１３３】
なお、本実施形態のように、ＩＣタグ１２４Ａ，１２４Ｂとしてアクティブタイプのものを使用すると、タグ情報を受信することのできる距離は、パッシブタイプのものよりも比較的長距離となる。
【０１３４】
そして、データ交信システム１Ａでは、このＩＣタグ１２４Ａ，１２４Ｂ、及びＩＣタグリーダー８０１Ａ，８０１Ｂを用いたタグ情報の送受信により、撮像装置１００Ａ，１００Ｂにおいて同時に画像を取得する撮影（同期撮影）を実施することができる。そして、同期撮影によって得られてメモリーカード１２７に格納される画像ファイルのタグ情報には、同期撮影を行った相手方の撮像装置のシリアルナンバー（同期撮影カメラのシリアルＮｏ．）及びモデルナンバー（同期撮影カメラのモデルＮｏ．）が記憶される。
【０１３５】
図１５は、同期撮影時においてメモリーカード１２７に記憶される画像ファイルの記憶内容を例示している。図１５に示すように、画像ファイルは、Ｅｘｉｆの規格に従ったもので、タグ情報と画像データとを格納している。そして、タグ情報として、メーカー名と、撮影年月日と、撮影したカメラのシリアルＮｏ．（Ｓ／Ｎ）及びモデルＮｏ．（Ｍ／Ｎ）と、同期撮影カメラのシリアルＮｏ．（Ｓ／Ｎ）及び同期撮影カメラのモデルＮｏ．（Ｍ／Ｎ）とが格納される。
【０１３６】
このようにして、同期撮影によって得られた画像ファイルに同期撮影を行った相手方の撮像装置のＳ／Ｎ及びＭ／Ｎを関連付けることで、２台の撮像装置１００Ａ，１００Ｂによって同時期に取得された撮影画像を関連付けることができる。
【０１３７】
以下、撮影画像の関連付け動作を含む同期撮影の動作について説明する。但し、撮像装置１００Ａにおけるレリーズ操作に応答して、撮像装置１００Ａと撮像装置１００Ｂとが同期撮影を行う場合を例に挙げて説明する。
【０１３８】
＜同期撮影の動作＞
図１６および図１７は、データ交信システム１Ａにおける同期撮影の動作フローを示すフローチャートである。図１６は、データ交信システム１Ａにおいて同期撮影を行う際の撮像装置１００Ａの動作フローを示すフローチャートである。図１７は、データ交信システム１Ａにおいて同期撮影を行う際の撮像装置１００Ｂの動作フローを示すフローチャートである。
【０１３９】
図１６に示す動作フローは、撮像装置１００Ａ内のマイクロコンピュータ１０６の制御下で実行され、図１７に示す動作フローは、撮像装置１００Ｂ内のマイクロコンピュータ１０６の制御下で実行される。そして、図１６に示す撮像装置１００Ａの動作フローと、図１７に示す撮像装置１００Ｂの動作フローとが、並行して行われることで、データ交信システム１Ａにおける同期撮影の動作が実現される。
【０１４０】
撮像装置１００Ａ及び撮像装置１００Ｂにおける動作フローは、並行して行われるが、説明が複雑になるのを防ぐため、撮像装置１００Ａ側と撮像装置１００Ｂ側との動作フローを分けて説明する。
【０１４１】
まず、図１６のフローチャートを参照しつつ、撮像装置１００Ａ側の動作フローについて説明する。ここでは、ユーザーが操作部１０９を適宜操作することで、撮像装置１００Ａの電源がオンされると、図１６の動作フローが開始される。
【０１４２】
ステップＳ４１では、撮像装置１００Ａが同期撮影モードに設定されたか否かを判定する。ここでは、同期撮影モードに設定されるまで、ステップＳ４１の処理を繰り返し、同期撮影モードに設定されると、ステップＳ４２に進む。
【０１４３】
ステップＳ４２では、レリーズボタンが押下されたか否か判定する。ここでは、レリーズボタンが押下されたか否か判定する。ここでは、レリーズボタンが押下されるまで、ステップＳ４２の処理を繰り返し、レリーズボタンが押下されると、ステップＳ４３に進む。
【０１４４】
ステップＳ４３では、ＩＣタグ１２４Ａがレリーズ情報を送信可能な状態（送信可能状態）に設定される。
【０１４５】
ステップＳ４４では、本撮影動作が行われる。
【０１４６】
ステップＳ４５では、ステップＳ４４で取得された画像データをメモリーカード１２７に記憶する処理（記憶処理）を行い、本動作フローを終了する。ステップＳ４５では、メモリーカード１２７に画像データを記憶する際に、当該画像データを格納した画像ファイルのタグに、自己の撮像装置（撮像装置１００Ａ）のＭ／ＮとＳ／Ｎとを記述する。なお、自己の撮像装置のＭ／ＮとＳ／Ｎは、予めＲＯＭ等に記憶されているものとする。
【０１４７】
次に、図１７のフローチャートを参照しつつ、撮像装置１００Ｂ側の動作フローについて説明する。ここでは、ユーザーが操作部１０９を適宜操作することで、撮像装置１００Ｂの電源がオンされると、図１７の動作フローが開始される。
【０１４８】
ステップＳ５１では、撮像装置１００Ｂが同期撮影モードに設定されたか否か判定する。ここでは、同期撮影モードに設定されるまで、ステップＳ５１の処理を繰り返し、同期撮影モードに設定されると、ステップＳ５２に進む。
【０１４９】
ステップＳ５２では、レリーズ情報を受信したか否か判定する。ここでは、ＩＣタグリーダー８０１ＢによってＩＣタグ１２４Ａに格納されたレリーズ情報を受信するまで、ステップＳ５２の処理を繰り返し、レリーズ情報を受信すれば、ステップＳ５３に進む。
【０１５０】
ステップＳ５３では、本撮影動作を行う。
【０１５１】
つまり、ここでは、撮像装置１００Ａに対するレリーズ操作に応答して、撮像装置１００Ａにおける本撮影動作と、撮像装置１００Ｂにおける本撮影動作とが略同時に行われる。このことで、データ交信システム１Ａにおける同期撮影の動作が実現される。
【０１５２】
ステップＳ５４では、ＩＣタグリーダー８０１Ｂによって、他方の撮像装置１００ＡのＩＣタグ１２４ＡからＭ／ＮとＳ／Ｎとを受信する。
【０１５３】
ステップＳ５５では、ステップＳ５３で取得された画像データをメモリーカード１２７に記憶する処理（記憶処理）を行い、本動作フローを終了する。ステップＳ５５では、メモリーカード１２７に画像データを記憶する際に、当該画像データを格納した画像ファイルのタグに、自己の撮像装置（撮像装置１００Ｂ）のＭ／ＮとＳ／Ｎとを記述するとともに、同期撮影を行った他方の撮像装置（撮像装置１００Ａ）のＭ／ＮとＳ／Ｎも記述する。
【０１５４】
＜パノラマ画像の生成＞
上述した同期撮影の動作によって撮像装置１００Ａ，１００Ｂで取得された２つの画像データを、パーソナルコンピュータ（パソコン）に持ち込んでつなぎ合わせることでパノラマ画像を生成することができる。
【０１５５】
以下、パノラマ画像の生成について説明する。
【０１５６】
図１８は、パノラマ画像を生成するパノラマ画像生成装置７０１として機能するパソコンの外観構成を例示する図である。また、図１９は、パノラマ画像生成装置７０１の機能構成を示すブロック図を示している。パノラマ画像生成装置７０１は、パソコンにおいて所定のプログラムが実行されることで実現される。
【０１５７】
図１８に示すように、パノラマ画像生成装置７０１は、箱状の形状を有する処理部７１１と、操作部７１２と、表示部７１３とを有している。
【０１５８】
処理部７１１の前面には、メモリーカード１２７を挿入するドライブ９０２が設けられている。
【０１５９】
また、操作部７１２は、マウス７２１とキーボード７２２とを有しており、ユーザーから処理部７１１に対する入力操作を受付ける。
【０１６０】
表示部７１３は、例えばＣＲＴで構成され、表示手段として機能する。
【０１６１】
また、図１９に示すように、パノラマ画像生成装置７０１の処理部７１１は、上記の操作部７１２および表示部７１３に接続する入出力Ｉ／Ｆ７１４と、入出力Ｉ／Ｆ７１４に電気的に接続する制御部７１５とを備えている。また、処理部７１１は、制御部７１５に電気的に接続する記憶部７１６と、入出力Ｉ／Ｆ７１７とを備えている。
【０１６２】
入出力Ｉ／Ｆ７１４は、操作部７１２および表示部７１３と制御部７１５との間でデータの送受信をコントロールするためのインターフェースである。
【０１６３】
記憶部７１６は、例えばハードディスク等を備えて構成されており、パノラマ画像生成装置７０１を実現するパソコンの基本動作を規定するオペレーティングシステム（ＯＳ）７６１がインストールされる。また、記憶部７１６には、ＯＳ７６１の管理下で実行されるパノラマ画像生成用のプログラム７６２もインストールされる。パノラマ画像生成装置７０１では、制御部７１５がデータ管理用のプログラム７６２を読み込んで実行することにより、図１９に示す機能が実現される。
【０１６４】
入出力Ｉ／Ｆ７１７は、ドライブ９０２を介して、記録メディアであるメモリーカード１２７に対するデータの入出力を行うためのインターフェースである。
【０１６５】
制御部７１５は、ＣＰＵ７１５ａおよびメモリ７１５ｂを有しており、パソコン、すなわちパノラマ画像生成装置７０１の動作を統括制御し、ユーザーの操作やパノラマ画像生成用のプログラム７６２等に基づいて、パノラマ画像の生成動作を制御する部位である。ここでは、ユーザーによる操作部７１２の種々の操作に基づき、制御部７１５が、記憶部７１６に格納されているパノラマ画像生成用のプログラム７６２を読み込んで実行することにより、パノラマ画像の生成動作が実現される。更に、制御部７１５は、メモリーカード１２７に記憶されている画像データ等を入出力Ｉ／Ｆ１７を介して読み込んで、パノラマ画像を生成することができる。
【０１６６】
以下、パノラマ画像生成装置７０１におけるパノラマ画像の生成動作について説明する。
【０１６７】
図２０は、パノラマ画像生成装置７０１におけるパノラマ画像の生成動作フローを示すフローチャートである。なお、本動作フローは、制御部７１５の制御下で実行される。なお、ここでは、制御部７１５が、パノラマ画像生成用のプログラム７６２を実行することで、図２０に示す動作フローが開始される。
【０１６８】
ステップＳ６１では、撮像装置１００Ａ，１００Ｂで取得されてメモリーカード１２７に格納された画像ファイルをパノラマ画像生成装置（パソコン）７０１にコピーする。ここでコピーされた撮影画像は、制御部７１５内のＲＡＭ７１５ａまたは記憶部７１６に一時的に記憶される。
【０１６９】
ステップＳ６２では、ステップＳ６１で一時的に記憶された画像ファイルを撮影日時に基づいてグループ化する。ここでは、各画像ファイルのタグ情報に記述された「撮影日時」の違いが所定値（例えば１秒）以下の複数の画像ファイルを一まとまりのグループ（画像グループ）としてグループ化する。なお、撮影日時の違いが所定値以下の複数の画像ファイルからなる画像ファイル群が複数存在する場合には、複数の画像グループを形成する。
【０１７０】
ステップＳ６３では、ステップＳ６２で形成された画像グループについて、同期撮影によって得られた画像ファイルを抽出する。
【０１７１】
具体的には、ある画像グループ内の複数の画像ファイルについて、タグ情報を検索して、「同期撮影カメラのＳ／Ｎ」及び「同期撮影カメラのＭ／Ｎ」が記述されている画像ファイルを抽出する。更に、検出された画像ファイルのタグ情報に記述されている「同期撮影カメラのＳ／Ｎ」及び「同期撮影カメラのＭ／Ｎ」と一致する撮影したカメラのＳ／Ｎ及びＭ／Ｎがタグ情報に記述された画像ファイルを抽出する。その結果、同期撮影によって得られた画像ファイルを抽出することができる。
【０１７２】
ステップＳ６４では、ステップＳ６３で同期撮影によって得られた画像ファイルとして抽出されなかった画像ファイルを画像グループから削除する。
【０１７３】
ステップＳ６５では、ユーザーによる選択操作に応答して、画像データを可視的に出力させる画像グループを指定する。
【０１７４】
ここでは、可視的に出力させる画像グループを指定する画面（画像グループ指定画面）が表示部７１３に表示される。図２１は、画像グループ指定画面を例示する図であり、図２１では、２つの画像ファイルがそれぞれグループ化された画像グループが２つ存在する場合の画像グループ指定画面を示している。図２１に示す画像グループ指定画面では、各画像グループ（グループＡ、グループＢ）ごとに枠で区切られて、各グループに属する画像データに係る画像が小さく表示される。この画像グループ指定画面が表示された状態で、ユーザーがマウス７２１を適宜操作することで、マウスポインタＭＰを所望の画像グループに合わせて左クリックすることで、画像データを可視的に出力させる画像グループを指定することができる。
【０１７５】
ステップＳ６６では、ステップＳ６５で指定された画像グループに属する複数の画像ファイルに格納された画像データが可視的に出力される。例えば、図２１で示す画像グループ指定画面上でグループＡが指定された場合には、図２２に示すように、グループＡに属する画像データが表示部７１３において可視的に出力される。
【０１７６】
ステップＳ６７では、ユーザーによるマウス７２１の操作に応じて、ステップＳ６６で表示された２つの画像が繋がるように、表示部７１３において２つの画像が大まかに並べられる。なお、図２３は、２つの画像が大まかに並べられた状態を例示する図である。
【０１７７】
ステップＳ６８では、ステップＳ６７で大まかに並べられた２つの画像上の被写体が完全に繋がるように２つの画像の位置が微調整され、２つの画像が結合されることで、図２４に示すように一枚のパノラマ画像が生成される。なお、画像の位置の微調整は、公知のパターンマッチング等によって実施することができる。
【０１７８】
以上のように、第２実施形態に係るデータ交信システム１Ａでは、ＩＣタグ１２４Ａを用いたタグ情報の送信により、撮像装置１００Ａに対するレリーズ操作に応答して、撮像装置１００Ａ，１００Ｂにおける同期撮影を実施することができる。そして、同期撮影時には、撮像装置１００Ｂが、撮像装置１００Ａに付されたＩＣタグ１２４Ａから撮像装置１００Ａのシリアルナンバーやモデルナンバーを取得して、撮影日時等と共に同期撮影時に得られた画像ファイルのタグ情報として記述する。このような構成とすることで、撮影終了後に画像ファイルのタグ情報に記述された撮影日時やシリアルナンバーやモデルナンバーを参照することで、２つ（一般的には複数）の撮像装置によって、略同時（一般的には、所定のタイミング）に取得された撮影画像の組を容易に抽出することができる。
【０１７９】
＜(3)変形例＞
以上、この発明の実施形態について説明したが、この発明は上記説明した内容のものに限定されるものではない。
【０１８０】
◎例えば、上述した第１実施形態では、リモコン操作器２３０において、十字キー２３９の上下左右キーの操作と撮像装置１００の十字キー１１９の上下左右キーの操作に係る各コマンドとをそれぞれ対応付けたが、これに限られず、ＤＴＶ本体２１０において、十字キー２３９の上下左右キーの操作に応じた信号と、十字キー１１９の上下左右キーの操作に係る各コマンドとをそれぞれ対応付けるようにしても、上記第１実施形態と同様な効果を得ることができる。
【０１８１】
◎また、上述した第２実施形態では、撮像装置１００Ｂにおいてレリーズ情報を受信すると本撮影を行ったが、これに限られず、例えば、撮像装置１００Ａに付されたＩＣタグ１２４Ａにレリーズ情報が格納されていないものとして、撮像装置１００Ｂが、ＩＣタグ１２４Ａに格納される他のタグ情報を受信したことに応答して、本撮影動作を行うようにすることで、同期撮影が実現されるようにしても良い。
【０１８２】
◎また、上述した第２実施形態では、撮像装置１００Ａに対するレリーズ操作に応答して、撮像装置１００Ａ，１００Ｂの同期撮影が行われたが、これに限られず、同期撮影モードでは、撮像装置１００Ｂに対するレリーズ操作に応答して、撮像装置１００Ａ，１００Ｂの同期撮影を行うようにすることもできる。
【０１８３】
◎なお、本明細書中における「無線ＩＣタグ」には、無線で情報の送受信を行うＩＣチップ等を含むのは勿論である。また、撮像装置１００，１００Ａ，１００Ｂから無線で各種情報を発信するデバイスは、無線ＩＣタグだけでなく、データの到達距離が短い他の無線デバイス（赤外線インターフェース、Blue Tooth等）でも良い。また、ＩＣタグ１２４，１２４Ａ，１２４Ｂとして、外部のＩＣタグライターにより記憶する情報を追記可能なＩＣタグや、記憶された情報を書き換え可能なＩＣタグを採用するようにしても良い。
【図面の簡単な説明】
【０１８４】
【図１】本発明の第１実施形態に係る撮像装置の機能構成を例示するブロック図である。
【図２】無線ＩＣタグの概要を例示する図である。
【図３】無線ＩＣタグに格納されるタグ情報を例示する図である。
【図４】無線ＩＣタグとＩＣタグリーダとの間における信号の送受信について説明する図である。
【図５】本発明の第１実施形態に係るデータ交信システムの概要を例示する図である。
【図６】データ交信システムの機能構成を例示するブロック図である。
【図７】ＤＴＶにおいて撮影画像を再生する際の撮像装置における動作フローを示すフローチャートである。
【図８】ＤＴＶにおいて撮影画像を再生する際のＤＴＶ本体における動作フローを示すフローチャートである。
【図９】ＤＴＶにおいて撮影画像を再生する際のＤＴＶ本体における動作フローを示すフローチャートである。
【図１０】ＤＴＶにおいて撮影画像を再生する際のリモコン操作器における動作フローを示すフローチャートである。
【図１１】撮像装置とＤＴＶ本体とリモコン操作器との間におけるデータ交信を示す図である。
【図１２】本発明の第２実施形態に係るデータ交信システムの概要を例示する図である。
【図１３】本発明の第２実施形態に係る撮像装置の機能構成を例示するブロック図である。
【図１４】無線ＩＣタグに格納されるタグ情報を例示する図である。
【図１５】画像ファイルの記憶内容を例示する図である。
【図１６】同期撮影する際の撮像装置における動作フローを示すフローチャートである。
【図１７】同期撮影する際の撮像装置における動作フローを示すフローチャートである。
【図１８】パノラマ画像生成装置の外観構成を例示する図である。
【図１９】パノラマ画像生成装置の機能構成を例示するブロック図である。
【図２０】パノラマ画像の生成フローを示すフローチャートである。
【図２１】画像グループ指定画面を例示する図である。
【図２２】画像データの可視的な出力例を示す図である。
【図２３】画像の位置調整を例示する図である。
【図２４】パノラマ画像を例示する図である。
【符号の説明】
【０１８５】
１，１Ａ  データ交信システム
１００，１００Ａ，１００Ｂ  撮像装置
１０６  マイクロコンピュータ
１０９  操作部
１１９，２３９  十字キー
１２４，１２４Ａ，１２４Ｂ  無線ＩＣタグ（ＩＣタグ）
１２８  ネットワークカード
２００  デジタルテレビ（ＤＴＶ）
２０１  制御部
２０２  操作部
２０３  リモコン受信部
２０４  表示部
２０５  インターフェース
２１０  ＤＴＶ本体
２３０  リモコン操作器
２３１  制御部
２３２  操作部
２３３  リモコン送信部
２３５  記憶部
８０１，８０１Ａ，８０１Ｂ  無線ＩＣタグリーダー（ＩＣタグリーダー）
【図１】
2006229289.tif 000003
【図２】
2006229289.tif 000004
【図３】
2006229289.tif 000005
【図４】
2006229289.tif 000006
【図５】
2006229289.tif 000007
【図６】
2006229289.tif 000008
【図７】
2006229289.tif 000009
【図８】
2006229289.tif 000010
【図９】
2006229289.tif 000011
【図１０】
2006229289.tif 000012
【図１１】
2006229289.tif 000013
【図１２】
2006229289.tif 000014
【図１３】
2006229289.tif 000015
【図１４】
2006229289.tif 000016
【図１５】
2006229289.tif 000017
【図１６】
2006229289.tif 000018
【図１７】
2006229289.tif 000019
【図１８】
2006229289.tif 000020
【図１９】
2006229289.tif 000021
【図２０】
2006229289.tif 000022
【図２１】
2006229289.tif 000023
【図２２】
2006229289.tif 000024
【図２３】
2006229289.tif 000025
【図２４】
2006229289.tif 000026